(57)【要約】【課題】より見栄えの良い構成によって、送風装置のエア流れを効率よく着座側に送風することにある。【解決手段】シート外形をなすパッド部材６Ｐと、パッド部材を被覆する表皮材６Ｓと、パッド部材６Ｐ内側に配設の送風装置８を有して、パッド部材６Ｐを貫通する通気孔部９によって、送風装置８のエア流れを着座側に送風する車両用シートにおいて、車両用シートに、通気孔部９を蔽う幕部材２０を設けて、送風装置８のエア流れによって、通気孔部９と幕部材２０の間に隙間部２２を形成する構成とし、通気孔部９を通過のエア流れを、幕部材２０によって隙間部２２に案内したのち、隙間部２２によって、表皮材６Ｓの着座面に沿わせて送風する構成とした。【選択図】図２
2010137760.tif 000002
【特許請求の範囲】
【請求項１】
シート外形をなすパッド部材と、前記パッド部材を被覆する表皮材と、前記パッド部材内側に配設の送風装置を有して、前記パッド部材を貫通する通気孔部によって、前記送風装置のエア流れを着座側に送風する車両用シートにおいて、
前記車両用シートに、前記通気孔部を蔽う幕部材を設けて、前記送風装置のエア流れによって、前記通気孔部と前記幕部材の間に隙間部を形成する構成とし、
前記通気孔部を通過のエア流れを、前記幕部材によって前記隙間部に案内したのち、前記隙間部によって、前記表皮材の着座面に沿わせて送風する構成とした車両用シート。
【請求項２】
前記車両用シートが、前記送風装置のエア流れ発生時に、前記隙間部の開口状態を保持可能な保持手段を有する請求項１に記載の車両用シート。
【請求項３】
前記隙間部に介装された前記保持手段が、前記通気孔部を通過するエア流れによって、前記隙間部の拡開を規制する緊張状態となるとともに、前記エア流れの消失によって弛緩状態となる構成である請求項１又は２に記載の車両用シート。
【請求項４】
前記保持手段が、前記エア流れが通過可能な流路を備えるとともに、前記着座側に着座した乗員の押圧に抗して、前記流路を維持可能な構成とされている請求項１又は２に記載の車両用シート。
【発明の詳細な説明】
【技術分野】
【０００１】
本発明は、送風装置を内蔵する車両用シートに関する。
【背景技術】
【０００２】
この種の車両用シートとして、特許文献１に開示の車両用シートが公知である。この車両用シートは、シート外形をなすパッド部材と、パッド部材を被覆する表皮材を有する。そして車両用シートの内部（パッド部材の内側）に送風装置が配設されている。
そしてシートの着座側には、送風装置のエア流れを乗員に送風するための通気孔部が設けてある。この通気孔部は、シートの着座側に向かって開口するように、パッド部材及び表皮材を貫通して形成されている。
【特許文献１】特開２００６−６９３７６号公報
【発明の開示】
【発明が解決しようとする課題】
【０００３】
しかしながら上述の公知技術では、通気孔部の開口によって、シート内のパッド部材などが着座側から丸見えとなることがあった。さらに上述の構成では、乗員によって通気孔部が塞がりやすく、送風装置のエア流れが滞ることがあった（送風効率の悪い構成であった）。
本発明は上述の点に鑑みて創案されたものであり、本発明が解決しようとする課題は、より見栄えの良い構成によって、送風装置のエア流れを効率よく着座側に送風することにある。
【課題を解決するための手段】
【０００４】
上記課題を解決するための手段として、本発明の第１発明の車両用シートは、シート外形をなすパッド部材と、パッド部材を被覆する表皮材と、パッド部材内側に配設の送風装置を有する。
そして本発明では、パッド部材を貫通する通気孔部によって、送風装置のエア流れを着座側に送風するのであるが、このとき極力見栄えの良い構成によって、効率良く着座側に送風できることが望ましい。
【０００５】
そこで本発明では、車両用シートに、通気孔部を蔽う幕部材を設けて、送風装置のエア流れによって、通気孔部と幕部材の間に隙間部を形成する。このように幕部材で通気孔部を蔽うことで、シート内部の露出を極力抑えることができる。
さらに本発明では、通気孔部を通過のエア流れを、幕部材によって隙間部に案内したのち、隙間部によって、表皮材の着座面に沿わせて送風する構成とした。このように隙間部（通気孔部とは異なる方向に開口する隙間部）にエア流れを導くことで、乗員などに極力邪魔されることなく、送風装置のエア流れを着座側に送風することができる。
【０００６】
第２発明の車両用シートは、第１発明に記載の車両用シートであって、送風装置のエア流れ発生時に、隙間部の開口状態を保持可能な保持手段を有する。この保持手段によって、（例えば隙間部の過開きや閉塞を極力防止するなどして）隙間部の開口状態を保持することにより、隙間部からのエア流れを好適に維持することができる。
【０００７】
第３発明の車両用シートは、第１発明又は第２発明の車両用シートであって、上述の保持手段が隙間部に介装されている。そして隙間部に介装された保持手段が、通気孔部を通過するエア流れによって、隙間部の拡開を規制する緊張状態となるとともに、エア流れの消失によって弛緩状態となる構成とした。
本発明では、上述の保持手段が緊張状態となることで、隙間部の拡開（例えば過開き）を規制して、隙間部の適切な開口状態を保持することができる。またエア流れの消失時に保持手段が弛緩状態となることで、（保持手段に極力邪魔されることなく）隙間部がスムーズに閉じ状態となる。
【０００８】
第４発明の車両用シートは、第１発明又は第２発明の車両用シートであって、上述の保持手段が、エア流れが通過可能な流路を備えるとともに、着座側に着座した乗員の押圧に抗して、流路を維持可能な構成（例えば弾力性、硬度又は強度を有する構成）である。
本発明によれば、乗員の押圧による隙間部の閉塞を防止して、隙間部の適切な開口状態を保持することができる。
【発明の効果】
【０００９】
本発明の第１発明によれば、より見栄えの良い構成によって、送風装置のエア流れを効率よく着座側に送風することができる。また第２発明によれば、エア流れをより確実に着座側に送風することができる。また第３発明によれば、見栄えの悪化を極力防止することができる。そして第４発明によれば、エア流れをさらに確実に乗員に送風することができる。
【発明を実施するための最良の形態】
【００１０】
以下、本発明を実施するための最良の形態を、図１〜図１１を参照して説明する。なお各図には、車両用シート前方に符号Ｆ、車両用シート後方に符号Ｂを適宜付す。また各図では、送風装置のエア流れを矢印（中抜き）で示すことがある。
図１の車両用シート２は、シートクッション４とシートバック６とヘッドレスト７を有する。シートバック６には送風装置８（例えば冷房装置又は暖房装置）が内蔵されている（図２を参照）。そこで以下の実施例１〜実施例４では、このシートバック６を一例として、本実施例に係る構成を説明する。
【００１１】
［実施例１］
本実施例のシートバック６は、シート外形をなすパッド部材６Ｐと、パッド部材６Ｐを被覆する表皮材６Ｓと、パッド部材６Ｐ内側に配設の送風装置８を有する（図２を参照）。送風装置８は、図示しないシートフレームに固定されており、その送風口が着座側に配置する。またパッド部材６Ｐは、クッション性を有する部材であり、例えば軟質ウレタンフォームなどの発泡性樹脂（非通気性）にて構成される。
そして表皮材６Ｓは、複数の表皮ピース（例えば、後述するシート上方の上方ピース１２、シート下方の下方ピース１４、シート側方の一対の側方ピース１６，１６）を袋状に縫合して作製される。これら複数の表皮ピースは、典型的に通気性の低い布地（例えば通気量１００ｃｃ／ｓｅｃ・ｃｍ2以下のファブリックや、通気量１４０ｃｃ／ｓｅｃ・ｃｍ2以下の編物）や皮革（非通気性）にて構成される。
【００１２】
（通気孔部）
そしてシートバック６上部の着座側には、送風装置８のエア流れ（冷気又は暖気の流れ）を着座側に送風するための通気孔部９が設けてある（図１及び図２を参照）。この通気孔部９は、パッド部材６Ｐを下方傾斜状（傾斜角θ１）に貫通して、シートの着座側に開口する。そして本実施例では、送風装置８のエア流れを、通気孔部９を介して着座側に吹き下ろすのであるが、このとき極力見栄えの良い構成によって、効率良く送風できることが望ましい。
そこで本実施例では、見栄えの良い構成（後述する幕部材２０、隙間部２２及び保持手段３０Ａ〜３０Ｄ）によって、送風装置８のエア流れを効率よく着座側に送風することとした。以下、各構成について詳述する。
【００１３】
（幕部材）
本実施例の幕部材２０は、シートバック６上部の着座側を構成する上方ピース１２（略矩形）である（表皮材６Ｓ一部を幕部材２０とする構成である）。この幕部材２０は、通常の上方ピース１２よりも大きい外形寸法を備えており、幕部材２０の下部側が、下方ピース１４に重なるまで（重層状態となるように）延設されている。
この幕部材２０で通気孔部９を蔽ったのち、幕部材２０両側を、各々側方ピース１６に縫着する。そして幕部材２０の下部を非縫着状態とすることで（幕部材２０の下部を自由状態とすることで）、下方ピース１４との間に後述の隙間部２２を形成する。
【００１４】
（隙間部）
本実施例の隙間部２２は、シート幅方向に長尺な開口部であり、幕部材２０（上方ピース１２）の下部に形成されている（図１及び図２を参照）。
この隙間部２２は、送風装置８のエア流れによって、幕部材２０の下部が通気孔部９から離間することにより開口状態となる。より詳しくは、エア流れによって幕部材２０と下方ピース１４が互いの重層方向に拡開することにより、隙間部２２が、下方ピース１４の着座面に向かって（通気孔部９とは異なる方向に）開口する。
そしてエア流れの消失によって、幕部材２０の下部が下方ピース１４に接することにより、隙間部２２が閉じ状態となる。
【００１５】
（保持手段）
本実施例の保持手段は、伸縮性を有する第一保持部材３０Ａである（図２を参照）。この第一保持部材３０Ａは、２Ｄネット体（布状）にて構成されており、送風装置８のエア流れを通気可能な通気性を有する（網目状の流路を有する）。
この第一保持部材３０Ａで通気孔部９を蔽ったのち、第一保持部材３０Ａの一端を、幕部材２０の裏面側に縫着する。そして第一保持部材３０Ａの中間部を下方ピース１４に縫着したのち、第一保持部材３０Ａの他端を幕部材２０下部に縫着して、第一保持部材３０Ａを隙間部２２に介装する。
そして後述するように、第一保持部材３０Ａは、エア流れによる隙間部の拡開に応じて伸長（緊張）するとともに、エア流れの消失によって縮小（弛緩）する構成である。
【００１６】
（送風の開始と停止）
送風装置８を起動することにより、送風装置８のエア流れを通気孔部９から発生させる（図２（ｂ）を参照）。このエア流れによって通気孔部９を蔽う幕部材２０が煽られるなどして、幕部材２０下部の隙間部２２が開口状態となる。このとき第一保持部材３０Ａが伸長状態（緊張状態）となることで、隙間部２２の過開きを規制して、隙間部２２の適切な開口状態を保持する。
そして送風装置８のエア流れが、下方傾斜状の通気孔部９を通過する。このエア流れの全部又は一部を、幕部材２０によって隙間部２２に案内したのち、隙間部２２によって、下方ピース１４の着座面に沿わせて（乗員Ｃの体表面に沿わせて）送風する。このように隙間部２２（通気孔部９とは異なる方向に開口する隙間部２２）にエア流れを導くことで、乗員Ｃなどに極力邪魔されることなく、送風装置８のエア流れを着座側に送風することができる。
【００１７】
また送風装置８を停止してエア流れを消失させることにより、幕部材２０と下方ピース１４が接して、隙間部２２が閉じ状態となる（図２（ａ）を参照）。このとき第一保持部材３０Ａが縮小（弛緩）することで、（第一保持部材３０Ａに極力邪魔されることなく）隙間部２２がスムーズに閉じ状態となる。そして幕部材２０で通気孔部９を蔽うことにより、シート内部の露出を極力抑えることができる。
【００１８】
このように本実施例によれば、比較的見栄えの良い構成によって、送風装置８のエア流れを効率良く着座側に送風することができる。特に乗員Ｃの体表面に沿ったエア流れを発生させることで、比較的速やかに乗員Ｃを冷やす（又は温める）ことができる。
また本実施例の構成では、表皮材６Ｓ自体に孔部を形成する必要がないため、孔部形成に伴う解れ等が生じず、また表皮材６Ｓの強度が維持される。
【００１９】
［実施例２］
実施例２の基本構造は、実施例１とほぼ同一であるため、共通の構造等については対応する符号を付してその詳細な説明を省略する。
本実施例の保持手段は、３Ｄネット体（立方体状）にて構成の第二保持部材３０Ｂである（図３及び図４を参照）。この第二保持部材３０Ｂは、繊維が三次元状に絡み合った構造体であり、その内部にエア流れが通過可能な流路を有する。そして第二保持部材３０Ｂは、乗員の押圧に応じて弾縮可能であり、その弾力性によって、乗員の押圧に抗して流路を維持可能な構成である。
【００２０】
この第二保持部材３０Ｂの一側を幕部材２０の裏面に縫着する。そして第二保持部材３０Ｂの他側を下方ピース１４に縫着することで、第二保持部材３０Ｂを隙間部２２に介装する。なお本実施例では、複数の第二保持部材３０Ｂが、所定の間隔をあけて隙間部２２内に介装されているが、第二保持部材３０Ｂ（単数）で隙間部２２を覆う構成としてもよい。
そして乗員Ｃが幕部材２０に寄り掛ったとしても（乗員Ｃの押圧が隙間部２２にかかったとしても）、第二保持部材３０Ｂが乗員Ｃの押圧に抗してエア流れの流路を維持する。このため本実施例によれば、第二保持部材３０Ｂによって、乗員Ｃの押圧による隙間部２２の閉塞を防止することにより、隙間部２２の適切な開口状態を保持することができる。
そして本実施例の構成は、乗員が常に接するシートバック６下部やシートクッション４の着座部（４ａ）に好適に適用することができる（図１及び図１０を参照）。
【００２１】
（変形例）
上述の第二保持部材３０Ｂは、３Ｄネット体のほかに、綿や不織布等の布材や、流路を有する樹脂部材にて構成することができる。
綿や不織布などの布材の内部は繊維が交絡しており、エア流れが通過可能な流路が形成されている。そして布材は、乗員の押圧を受けて嵩高となることにより、流路を維持可能な弾性力を有する構成である。
また流路を備える樹脂部材（例えば雄型と雌型とからなる面ファスナ）は、乗員の押圧に抗してその外形形状を維持する硬度を備える。例えば面ファスナでは、雄型と雌型の間に形成された流路を維持可能な硬度を有する。
【００２２】
［実施例３］
実施例３の基本構造は、実施例１又は実施例２とほぼ同一であるため、共通の構造等については対応する符号を付してその詳細な説明を省略する。
本実施例の保持手段は、幕部材２０自体と、上述の第二保持部材３０Ｂである（図５を参照）。
すなわち幕部材２０にギャザーを形成して波状とする（第三保持部３０Ｃとしての凸状部と、凹状部３１を形成する）。そして凹状部３１を下方ピース１４に縫着することにより、第三保持部３０Ｃの内部を中空として、エア流れが通過可能な流路を形成する。この第三保持部３０Ｃ（凸状部）は、乗員Ｃの押圧に抗してその外形形状を極力維持することができる（流路を保持可能な強度を備える）。
さらに第三保持部３０Ｃ（凸状部）内には、第二保持部材３０Ｂ（半円状の３Ｄネット体）が介装されている。
【００２３】
そして乗員Ｃが幕部材２０に寄り掛ったとしても、第三保持部３０Ｃ及び第二保持部材３０Ｂが乗員Ｃの押圧に抗してエア流れの流路を維持する。このため本実施例によれば、第三保持部３０Ｃ及び第二保持部材３０Ｂによって、隙間部２２の適切な開口状態を保持することができる。
【００２４】
（変形例）
本実施例では、下方ピース１４にギャザーを形成して波状とする（第四保持部３０Ｄとしての凸状部と、凹状部３２を形成する）こともできる。そして凹状部３１を幕部材２０に縫着することにより、第四保持部３０Ｄの内部を中空として、エア流れが通過可能な流路を形成する。この第四保持部３０Ｄ（凸状部）も、乗員Ｃの押圧に抗してその外形形状を極力維持することができる（流路を保持可能な強度を備える）。
そして本変形例では、幕部材２０の外形形状がフラットのままであるため、シートの意匠性に影響を極力与えない構成（見栄えの良いシート構成）である。
【００２５】
［実施例４］
実施例４の基本構造は、実施例１〜実施例３とほぼ同一であるため、共通の構造等については対応する符号を付してその詳細な説明を省略する。
図７のシートバック６の肩口には、一対の通気孔部９，９が設けてあるとともに、これら通気孔部９の周囲で、側方ピース１６が切欠かれている（図８を参照）。
【００２６】
そして本実施例の幕部材２０aは、車両用シート２aの表皮ピースとは異なる略長方形状の表皮ピースとして構成されている（表皮材６Ｓとは別体の幕部材２０aを配設する構成である）。幕部材２０aの材質は、典型的に表皮材６Ｓと同一である。
この幕部材２０aで通気孔部９を蔽ったのち、幕部材２０aの上部を、側方ピース１６（上部側）に縫着する。そして幕部材２０aの側部及び下部に第二保持部材３０Ｂ（長方形状の布材）を縫着することにより袋状とする（図８及び図９を参照）。幕部材２０aの底部側は、通気性のある第一保持部材３０Ａ（２Ｄネット体）で被覆されて、隙間部２２とされる。この隙間部２２は、下方ピース１４の着座面等に向かって（通気孔部９とは異なる方向に）開口する。
【００２７】
そして本実施例では、幕部材２０a（袋状）がエア流れによって持ち上がるなどして、乗員Ｃの肩などに掛置きすることができる。このとき幕部材２０a（隙間部２２をさらさない程度に持ち上がった幕部材２０a）によって通気孔部９が隠蔽されるため、シートの見栄え悪化が防止又は低減される。
このため本実施例によれば、幕部材２０a（袋状）によって、着座側に沿ってエア流れを送風するとともに、乗員Ｃにも直接的に送風することができる（送風効率の良い構成である）。
【００２８】
また本実施例では、エア流れが消失することで、通気孔部９を隠ぺいするように幕部材２０aが垂れ下がり状となる。
このため本実施例では、シートの見栄え悪化を極力阻止しつつ、送風装置８のエア流れを、さらに効率良く乗員Ｃに送風することができる。
【００２９】
［実施例５］
実施例５では、実施例１〜実施例４と共通の構造等については対応する符号を付してその詳細な説明を省略する。
図１０及び図１１を参照して、本実施例の車両用シート２ｂのシートクッション４は、乗員Ｃの着座性を考慮して、その中央（着座部４ａ）が凹状であるとともに、その両側（シート両側部４ｂ，４ｂ）が凸状である。
このシートクッション４の側部４ｂ（凸状）は、乗員Ｃの乗降時等において乗員Ｃが接触する部位であることから、乗員Ｃの押圧を特に受けやすい部位である。
そして本実施例では、シートクッション４が、シート外形をなすパッド部材４Ｐと、パッド部材４Ｐを被覆する表皮材４Ｓを有する。送風装置８は、図示しないシートフレームに固定されており、その送風口が着座側に配置する。表皮材４Ｓは、複数の表皮ピースを袋状に縫合して構成されており、例えば、着座側を被覆する中央ピース１７と、シート側部を被覆する側部ピース１８を有する。
【００３０】
このシート両側部４ｂ，４ｂの着座側には、送風装置８のエア流れを着座側に送風するための通気孔部９が設けてある（図１１を参照）。この通気孔部９は、パッド部材４Ｐを上方傾斜状（傾斜角θ２）に貫通して、シートの着座側に向かって開口する。
通気孔部９の開口は、通気性を有する２Ｄネット体で覆われている。そして２Ｄネット体２４の一端は、側部ピース１８裏面に縫着されており、他端は、中央ピース１７裏面に縫着されている。
【００３１】
そして本実施例の幕部材２０ｂは、シート側部４ｂを構成する側部ピース１８である（表皮材４Ｓ一部を幕部材２０とする構成である）。この幕部材２０ｂの下部側は、中央ピース１７に重なるまで（重層状態となるように）延設されている。
この幕部材２０ｂ（側部ピース１８）で通気孔部９を蔽ったのち、中央ピース１７との間に隙間部２２を形成する。この隙間部２２は、中央ピース１７の着座面に向かって（通気孔部９とは異なる方向に）開口する。そしてこの隙間部２２に、第二保持部材３０Ｂを介装する（図１１を参照）。
【００３２】
そして本実施例では、シート両側部４ｂに乗員Ｃがよりかかったとしても、この第二保持部材３０Ｂが乗員Ｃの押圧に抗して外形形状を保持することで、隙間部２２の開口状態が好適に保持される。
このため本実施例によれば、乗員Ｃの押圧を受けやすいシート側部４ｂであっても、隙間部２２の適切な開口状態を保持して、側部ピース１８の着座面（着座側）に沿ったエア流れを維持することができる。
【００３３】
本実施形態に係る車両用シートは、上述した実施形態に限定されるものではなく、その他各種の実施形態を取り得る。
（１）本実施例では、シートバック６とシートクッション４を一例として、送風のための構造を説明した。本実施例の構成は、ヘッドレスト等の各種車両構成に適用することができる。
（２）また本実施例では、幕部材２０に、樹脂板やワイヤ部材（補強部材）を配設することができる。この補強部材によって、幕部材の外形を保持することにより、エア流れによる幕部材の振動を規制して、異音の発生を防止又は低減することができる。
【００３４】
（３）また本実施例では、単数の通気孔部９を幕部材２０で蔽う構成としたが、複数の通気孔部９を幕部材２０で蔽う構成としてもよい。幕部材の形成（配設）数は単数であってもよく、複数であってもよい。
（４）また実施例１〜３では、下方ピース１４に向かって開口する隙間部２２の例を説明したが、隙間部の開口方向を限定する趣旨ではない。隙間部は、側方ピースに向かって開口することができる。また下方ピースで幕部材を形成するとともに、隙間部を、上方ピースに向かって開口させることもできる。
【００３５】
（５）また実施例１では、伸縮性を備える第一保持部材３０Ａの一例として、２Ｄネット体を用いた。第一保持部材３０Ａは、伸縮性を備えるゴム部材や、隙間部の開閉に応じて緊張又は弛緩可能な布材や紐材を用いることができる。布材は、通気性の高い布地（通気量１４０ｃｃ／ｓｅｃ・ｃｍ2を超える通気量の布材）であることが好ましい。
（６）また実施例２では、専らエア流れの流路を有する保持手段を説明した。これとは異なり、エア流れの流路を有さない保持手段を用いることもできる。この場合には、複数の保持手段を、所定の間隔（エア流れの通過可能な隙間）をあけて、隙間部内に介装する構成とする（図４を参照）。
【００３６】
（７）また実施例３では、幕部材と下方ピースの片方にギャザーを形成する例を説明したが、幕部材と下方ピースの双方にギャザーを形成してもよい。また本実施例は、第三保持部３０Ｃ又は第四保持部３０Ｄのみの構成（第二保持部材３０Ｂを省略する構成）であってもよい。
（８）また実施例４では、シートバック６の肩口に幕部材２０aを設ける例を例示した。本実施例の構成は、車両用シートの各部位に適用可能な技術である。例えば、シートクッション４の側部４ｂに幕部材２０aを設けて、乗員の腿部などに送風する構成とすることもできる。
（９）また実施例５では、中央ピースに向かって開口する隙間部の例を説明した。これとは異なり、中央ピースで幕部材を形成するとともに、隙間部を、側部ピースに向かって開口させることもできる。
【図面の簡単な説明】
【００３７】
【図１】車両用シートの斜視図である。
【図２】（ａ）は、送風前の図１のＩＩ−ＩＩ線縦断面図であり、（ｂ）は、送風時の図１のＩＩ−ＩＩ線縦断面図である。
【図３】実施例２に係る車両用シート一部の縦断面図である。
【図４】図３のＩＶ−ＩＶ線横断面図である。
【図５】実施例３に係る車両用シート一部の横断面図である。
【図６】実施例３の別例に係る車両用シート一部の横断面図である。
【図７】実施例４に係る車両用シートの斜視図である。
【図８】図７のＶＩＩＩ−ＶＩＩＩ線縦断面図である。
【図９】図８のＩＸ−ＩＸ線縦断面図である。
【図１０】実施例５に係る車両用シートの斜視図である。
【図１１】図１０のＸＩ−ＸＩ線縦断面図である。
【符号の説明】
【００３８】
２     車両用シート
４     シートクッション
６     シートバック
７     ヘッドレスト
８     送風装置
２０   幕部材
２２   隙間部
３０Ａ 第一保持部材
３０Ｂ 第二保持部材
３０Ｃ 第三保持部
３０Ｄ 第四保持部
Ｃ     乗員
【図１】
2010137760.tif 000003
【図２】
2010137760.tif 000004
【図３】
2010137760.tif 000005
【図４】
2010137760.tif 000006
【図５】
2010137760.tif 000007
【図６】
2010137760.tif 000008
【図７】
2010137760.tif 000009
【図８】
2010137760.tif 000010
【図９】
2010137760.tif 000011
【図１０】
2010137760.tif 000012
【図１１】
2010137760.tif 000013